(57)【要約】      （修正有）【課題】イヤフォン、ワイヤレスマイクなどの音響アクセサリーを取り付けて、耳に装着させる音響アクセサリーの耳装着具を提供する。【解決手段】らせんに巻いた楕円部の前端にＵ字部を設け、後端につなげて耳の付け根形の輪にし、輪の一部に音響アクセサリーを取り付け、楕円部を耳輪にかけ入れ、回してＵ字部に耳たぶを導入し、耳の付け根を取り囲んではめ込むことを特徴とする、音響アクセサリーの耳装着具。【選択図】図１
2010206765.tif 000002
【特許請求の範囲】
【請求項１】
らせんに巻いた楕円部の前端にＵ字部を設け、後端につなげて耳の付け根形の輪にし、輪の一部に音響アクセサリーを取り付け、楕円部を耳輪にかけ入れ、回してＵ字部に耳たぶを導入し、耳の付け根を取り囲んで、はめ込むことを特徴とする音響アクセサリーの耳装着具。
【発明の詳細な説明】
【技術分野】
【０００１】  本願発明は、イヤフォン、ワイヤレスマイクなどの音響アクセサリーを取り付けて、耳に装着させる音響アクセサリーの耳装着具に関するものである。
【背景技術】
【０００２】  従来、イヤフォンは、耳にかけたり耳穴に入れたりして使い、ワイヤレスマイクは、耳にかけたり頭につけたりして使用していた。
【発明の概要】
【発明が解決しようとする課題】
【０００３】  そのためにつぎのような問題があった。  イヤフォンは、ずれやすく抜けやすかった。  ワイヤレスマイクは、ずれやすい上、頭につけるものは大型で使いづらかった。  耳や頭などに負担がかかって、長時間の使用は辛かった。  製品ごとの個別な装着法で互換性もないから、高価な上に小型化も遅れていた。  耳装着の技術が遅れているため、耳装着型製品の種類が少なかった。  本願発明は、以上の問題点を解決するとともに耳装着の新分野に道を開くものである。
【課題を解決するための手段】
【０００４】  らせんに巻いた楕円部の前端にＵ字部を設け、後端につなげて耳の付け根形の輪にし、輪の一部に音響アクセサリーを取り付け、楕円部を耳輪にかけ入れ、回してＵ字部に耳たぶを導入し、耳の付け根を取り囲んではめ込むことを特徴とする音響アクセサリーの耳装着具である。
【発明の効果】
【０００５】１）装着、取りはずしが簡単である。２）ずれない構造であるから、スポーツ、芸能などの激しい動きにも、安心して使える。３）荷重を耳の付け根全体で支えるから、小型、軽量にでき軽快な装着感が得られる。４）耳に負担がかからないから、長時間の装着が楽になりストレスがない。５）小型、軽量の上、汎用であるから、安価に製造できる。６）音響アクセサリーのコードレス、ワイヤレス化を促進し、超小型化に貢献する。７）耳に装着して使いたいものは、小型であればほとんどの物を本願発明に取り付けることができる。したがって、全く新しい分野に用途が生まれ、耳装着型製品の種類が増える。
【図面の簡単な説明】
【０００６】
【図１】は本願発明の正面図である。
【図２】は本願発明の左側面図である。
【図３】は本願発明の装着法を示す平面図である。
【図４】は本願発明の取付例を示す平面図である。
【図５】は本願発明の断面を示す断面図である。
【発明を実施するための形態】
【０００７】以下、本発明の実施の形態を説明する。  （イ）金属などの線材を、らせんに巻いた楕円部１の前端に、Ｕ字部３を設け、直線または、ゆるやかな円弧状の前部２でつなげて、耳の付け根形の輪を形づくる。  （ロ）Ｕ字部３は、楕円部１のらせんで立ち上がり、中をのぞかせて耳たぶ６の導入を助け、そのつけ根に密着する。  （ハ）前部２は、頬に接して風当５のつけ根に密着する。  （ニ）楕円部１は、耳輪４のつけ根に密着する。  （ホ）図１から図４は、右耳用の耳装着具を示している。左耳用は、楕円部１のらせん方向やＵ字部３の立ち上がりが、逆になって対称形になる。  （ヘ）図５は、線材の断面図である。これ以外にも、芯入りにしたり、表面にコーティングをしたりできる。また、薄くすれば耳の付け根にならって変形するから、らせんを限りなく小さくした形、すなわち平板状となるので加工しやすくなる。  （ト）素材は、金属、樹脂、ゴムなどを使用する。  （チ）素材の種類と表面状態、Ｕ字部の幅で入れやすさ、はずしやすさは決まる。Ｕ字部３の幅を適正にした上で滑り止めをコーティングする方法もある。  （リ）本願発明を耳に装着するには、図３のように耳輪４に楕円部１をかけ入れ、左に回せば耳たぶ６がＵ字部３の中に導入される。次に、耳たぶ６を指で引き出すようにしてＵ字部３を押し付け、耳たぶ６の付け根に密着させれば、楕円部１は、耳輪４のつけ根に密着し、前部２は頬に接して風当５のつけ根に密着、耳の付け根をぐるりと取り囲んではまり込む。  （ヌ）これを耳からはずすには、Ｕ字部３に指をかけ、前部２が風当５からはずれるまで耳たぶ６を抜き、右に回して残りを抜き去り、耳輪４からはずす。  （ル）試作品で試してみると、一見、複雑に見える装着、取り外しが、それぞれなめらかに合成された一動作で一瞬にできたのである。  （ヲ）耳に比べて耳の付け根の形は、個人差が小さいのでサイズの種類を小さくできる。また、素材によっては、耳の付け根に合わせて削り合わせることもできる。  （ワ）耳に装着して使いたいものを列挙すると、イヤフォン、ワイヤレスマイク、音楽プレーヤー、補聴器、トランシーバ、カメラ、携帯電話などがある。  （カ）本願発明は、このまま市販する場合と上記製品のメーカーに提供して、耳装着型製品となる場合がある。したがって、汎用性が強く求められている。  （ヨ）そのため、同じ断面を持つ輪にして、輪のどこにでも取り付けできる形である。また、断面形状を数種類用意して、汎用の要求に応えている。  （タ）メーカーの仕様に合わせて、本願発明の一部を広げたり、肉を盛ったりする場合は、耳の付け根に接する面を変えないようにする。  （レ）耳に装着して使いたいものは、小型であればほとんどの物を、本願発明に取り付けることができる。したがって、全く新しい分野に用途が生まれ、耳装着型製品の種類が増えてゆくのである。  （ソ）耳装着型製品の特異な例を述べると、イヤリングでは、今までにない重量のイヤリングを耳につけることができ、全体がひとつのイヤリングとなる。また、防寒具に用いれば、耳型のデザインで小型のものができる。  （ツ）全く新しい耳装着法である本願発明の提供は、各メーカーの技術者間の小型化競争を促し、音響アクセサリーのコードレ���、ワイヤレス化をはじめとする超小型の耳装着製品の実現に貢献する。  本願発明は、以上の構成よりなっている。  本願発明を使用するときは、上記の耳装着具の一部に、図４のように音響アクセサリーを取り付け、（リ）の装着法で耳に装着し、（ヌ）のはずし方で耳からはずす。耳の付け根をぐるりと取り囲んではめ込まれた耳装着具は、Ｕ字部３から耳たぶ６を抜かない限り、ずらすことも、はずすこともできない。また、荷重は耳の付け根に広くかかるため、軽い装着感で重量を支えることができる。
【実施例】
【０００８】  Ｕ字部３の底円部を、少し曲げることで指のかかりが良くなって、はずしやすくなる。【０００９】  耳の付け根形の輪の一部を切り離し、つき合わせた形にすれば、製作しやすくなり、安くできる。
【符号の説明】
【００１０】１は、楕円部を示し、２は、前部を示し、３は、Ｕ字部を示し、４は、耳輪を示し、５は、風当を示し、６は、耳たぶを示し、７は、イヤフォンを示し、８は、ワイヤレスマイクを示し、９は、音楽プレーヤーを示し、１０は、丸型を示し、１１は、楕円型を示し、１２は、角型を示し、１３は、三角型を示す。
【図１】
2010206765.tif 000003
【図２】
2010206765.tif 000004
【図３】
2010206765.tif 000005
【図４】
2010206765.tif 000006
【図５】
2010206765.tif 000007